(57)【要約】【課題】レンズおよび撮像素子を備えたカメラ機能を有する携帯電話等の携帯電子機器筐体への撮像部の取付け作業が容易になるとともに小形化も図ることができる撮像装置およびその製造方法を提供する。【解決手段】治具６の位置決めピン７ａ，７ｂ，７ｃにプリント基板５のＵ字溝５ａ，５ｂ，５ｃを嵌挿する。その上からレンズ組体１のＵ字形の長溝８ａ，９ａ，９ｂを嵌挿し、プリント基板５とレンズ組体１の境目に接着剤１０を充填しプリント基板５にレンズ組体１を固定する。これによりレンズ組体１のレンズ２の光軸とプリント基板５の固定撮像素子４との光軸か一致する。この後、治具６からレンズ組体１とプリント基板５よりなる撮像装置部を外し、携帯電話などの携帯電子機器筐体の受け部のピンに撮像装置部の溝を嵌挿して固定する。携帯電子機器筐体の受け部の構造は、治具６と同じ構造である。【選択図】　　　　図１
2004080575.tif 000002
【特許請求の範囲】
【請求項１】
ピンを植設した共用取付部を複数個所設置した治具および該治具と同じ構成を有する携帯電子機器筐体と、
前記ピンに嵌合させるため支持部の複数個所に長溝を有し、レンズを組み込んだレンズ組体と、
前記ピンに嵌合させるため複数個所に溝を有し、固体撮像素子を搭載する基板とからなり、
前記治具のそれぞれのピンに前記基板の対応する溝を嵌挿し、その上から前記レンズ組体の対応する長溝を嵌挿することにより、前記レンズ組体と前記基板とを位置決めして固定し、前記レンズ組体と基板を固定した撮像装置部を前記治具から取り外し、前記携帯電子機器筐体のピンに、取り外した撮像装置部の溝を嵌挿することにより前記携帯電子機器筐体に取り付けることを特徴とする撮像装置。
【請求項２】
ピンを植設した共用取付部を複数個所設置した治具を用意し、該治具の共用取付部のそれぞれのピンに、固体撮像素子を搭載する基板の対応する溝を嵌挿する基板嵌挿工程と、
前記基板の上からレンズ組体の対応する長溝を嵌挿するレンズ組体嵌挿工程と、
前記レンズ組体と基板を接着剤または他の工法で固定し撮像装置部を形成する撮像装置部形成工程と、
前記撮像装置部を前記治具から取り外し、前記治具と同じ構成を有する携帯電子機器筐体のぞれぞれのピンに前記撮像装置部の溝を嵌挿して取り付ける取付工程と、
から構成されたことを特徴とする撮像装置の製造方法。
【発明の詳細な説明】
【０００１】
【発明の属する技術分野】
本発明は、携帯電話などの携帯電子機器（情報機器端末）に用いられる撮像装置およびその製造方法に関する。
【０００２】
【従来の技術】
撮像装置は、レンズホルダ内にレンズを組み込んだレンズ組体と、レンズ組体を取り付ける撮像素子を搭載する基板より構成され、さらに、これらを取り付ける携帯電話等の携帯電子機器の取付部を含んで考えることが撮像装置の小形化，製造方法の簡易化のために必要となる。
従来の撮像装置は、上記基板に孔またはＵ溝，角溝等を設けるとともにレンズホルダ側には基板に対する位置決めのポスト（ボス）が形成されている。そして、携帯電子機器への組立用には、基板等に別途組立用の孔，溝等を設けている。
【０００３】
【発明が解決しようとする課題】
このように従来の撮像装置は基板とレンズホルダの位置決めおよび携帯電子機器への組立用孔，溝等を別々に設けているため、撮像装置を小形化する上で不利な構造である。
他の従来例として携帯電子機器への組立用の孔または溝等は備えているが、基板とレンズホルダの位置決めを形成しない構成を持つものがある。
このタイプは前者に比較し小形化は可能になるが、基板とレンズホルダとの位置決め機構を有しないため位置決め作業に手間がかかり、製造工程が煩雑になるという欠点がある。
【０００４】
本発明の目的は、レンズおよび撮像素子を備えたカメラ機能を有する携帯電話等の携帯電子機器筐体への撮像部の取付け作業が容易になるとともに小形化も図ることができる撮像装置およびその製造方法を提供することにある。
【０００５】
【課題を解決するための手段】
前記目的を達成するために本発明による撮像装置は、ピンを植設した共用取付部を複数個所設置した治具および該治具と同じ構成を有する携帯電子機器筐体と、前記ピンに嵌合させるため支持部の複数個所に長溝を有し、レンズを組み込んだレンズ組体と、前記ピンに嵌合させるため複数個所に溝を有し、固体撮像素子を搭載する基板とからなり、前記治具のそれぞれのピンに前記基板の対応する溝を嵌挿し、その上から前記レンズ組体の対応する長溝を嵌挿することにより、前記レンズ組体と前記基板とを位置決めして固定し、前記レンズ組体と基板を固定した撮像装置部を前記治具から取り外し、前記携帯電子機器筐体のピンに、取り外した撮像装置部の溝を嵌挿することにより前記携帯電子機器筐体に取り付けるように構成されている。
また、本発明による撮像装置の製造方法は、ピンを植設した共用取付部を複数個所設置した治具を用意し、該治具の共用取付部のそれぞれのピンに、固体撮像素子を搭載する基板の対応する溝を嵌挿する基板嵌挿工程と、前記基板の上からレンズ組体の対応する長溝を嵌挿するレンズ組体嵌挿工程と、前記レンズ組体と基板を接着剤または他の工法で固定し撮像装置部を形成する撮像装置部形成工程と、前記撮像装置部を前記治具から取り外し、前記治具と同じ構成を有する携帯電子機器筐体のぞれぞれのピンに前記撮像装置部の溝を嵌挿して取り付ける取付工程とから構成されている。
【０００６】
【発明の実施の形態】
以下、図面を参照して本発明の実施の形態を詳しく説明する。
図１は、本発明による撮像装置および製造方法の実施の形態を説明するための分解斜視図である。
本発明による撮像装置を組み立てるには、レンズ組体１，プリント基板５，治具６および治具６と同じ構成を有する携帯電子機器（図示してない）を用意する。
【０００７】
レンズ組体１はレンズホルダ３にレンズ２を組み込むことにより構成される。レンズホルダ３は、レンズ収容孔２０を形成する円筒形部分と円筒形部分と一体に形成された支持部８および９より構成される。前面側の支持部８の端部にはＵ字形の長溝８ａが形成されている。後部の支持部９の両端にも同様にＵ字形の長溝９ａ，９ｂが形成されている円筒形部分の内壁には等間隔で軸方向に４個の接着剤注入溝１５ａ，１５ｂ，１５ｃおよび１５ｄが設けられている。
レンズ２はレンズ収容孔２０に挿入され図示しない治具によりレンズ２を回転させることにより軸方向の高さが調節されて焦点調整が行われる。焦点調整した後は、レンズ２が動かないように接着剤注入溝１５ａ，１５ｂ，１５ｃおよび１５ｄに接着剤を充填して固める。
【０００８】
図２にレンズ組体の内部の詳細を示す。
この図はレンズホルダの一部を破断してレンズ２の下部を見えるようにしたものである。
レンズホルダ３のレンズ収容孔２０の内壁面には３個のレンズ調整部１７ａ，１７ｂ，１７ｃが等間隔で設けられている。各レンズ調整部の上面は傾斜面である。一方、レンズ２は中央部分がレンズ機能部であり、レンズ２上面の外周部は絞りの搭載面となっている。また、上面の中央を横断する形で上述した治具を嵌合するための治具嵌合溝２１が形成されている。レンズ２の下面には等間隔で３個の調整足１８ａ，１８ｂ，１８ｃが設けられている。さらにレンズ収容孔２０の内壁には等間隔で軸方向に３個の突堤１９，・・・が設けられている。
【０００９】
レンズ２をレンズ収容孔２０に挿入すると、調整足１８ａ，１８ｂ，１８ｃがレンズ調整部１７ａ，１７ｂ，１７ｃの傾斜面に突き当たる。治具先端を治具嵌合溝２１に結合し回転することにより、調整足１８ａ，１８ｂ，１８ｃの先端が傾斜面を滑動するため、レンズが上下に移動する結果、焦点距離を調整することができる。レンズ２の外周面は突堤１９，・・・に当たるため、レンズ２は同軸方向に規制される。
【００１０】
図１をさらに説明する。
プリント基板５は固定撮像素子４が取り付けられており、基板端部に３個のＵ字溝５ａ，５ｂ，５ｃが設けられている。各Ｕ字溝５ａ，５ｂ，５ｃはＵ字形の長溝８ａ，９ａ，９ｂにそれぞれ対応する位置であり、これらＵ字溝を合わせることにより固体撮像素子４とレンズ２の光軸が一致する。
治具６には上記Ｕ字溝に対応する位置に位置決ピン７ａ，７ｂ，７ｃが植設された共用取付部１４ａ，１４ｂ，１４ｃが設けられている。
【００１１】
本発明による撮像装置はまず治具６の位置決めピン７ａ，７ｂ，７ｃにプリント基板５のＵ字溝５ａ，５ｂ，５ｃを嵌挿する。さらにその上からレンズ組体１のＵ字形の長溝８ａ，９ａ，９ｂを嵌挿し、図３に示すようにプリント基板５とレンズ組体１の境目に接着剤１０を充填しプリント基板５にレンズ組体１を固定する。これによりレンズ２の光軸とプリント基板５の固定撮像素子４の光軸を一致させることができる。
【００１２】
この後、治具６からレンズ組体１とプリント基板５よりなる撮像装置部を外し、携帯電話などの携帯電子機器筐体の受け部のピンに撮像装置部の溝を嵌挿して固定する。携帯電子機器筐体の受け部の構造は、治具６と同じ構造である。
【００１３】
図４は、本発明による撮像装置にフレキシブル基板を実装した状態を示す斜視図である。
携帯電話などの筐体に本発明による撮像装置を組み込む場合、予めフレキシブルプリント基板１１が取り付けられたプリント基板５を用いることにより携帯電話などの筐体に取り付けた後、フレキシブルプリント基板１１の一端に設けられたコネクタ１２に他の電子回路を接続することができる。
【００１４】
以上の実施の形態は、溝の形状をＵ字形の例について述べたが、３角，４角，５角などの角形形状やその他の形状にしても良い。溝ではなく孔を用いても良い。さらに、レンズ組体とプリント基板の固定に接着剤を用いた例を示したが、接着剤によらず他の工法によって固定しても良い。
【００１５】
【発明の効果】
以上、説明したように本発明は携帯電話等の情報機器端末に内蔵される小形撮像装置において、レンズホルダ部の基板への取り付け、組み込みの位置決めと撮像装置の情報機器端末への取り付け保持，受け部を共用する構造であるので、撮像装置の小形化を図れるとともに組み立て作業を簡易にできるという効果がある。
【図面の簡単な説明】
【図１】本発明による撮像装置およびその製造方法の実施の形態を示す分解斜視図である。
【図２】レンズ組体の一部を破断して示した斜視図である。
【図３】図１の撮像装置の組み立て状態を示す斜視図である。
【図４】本発明による撮像装置にフレキシブル基板を実装した状態を示す斜視図である。
【符号の説明】
１　レンズ組体
２　レンズ
３　レンズホルダ
４　固体撮像素子
５　プリント基板
６　治具
７ａ，７ｂ，７ｃ　位置決めピン
８，９　支持部
８ａ，９ａ，９ｂ　Ｕ字溝
１０　接着剤
１１　フレキシブルプリント基板
１２　コネクタ
１３　撮像装置
１４ａ，１４ｂ，１４ｃ　共用取付部
１５ａ，１５ｂ，１５ｃ　接着剤注入溝
１６　貫通孔
１７ａ，１７ｂ，１７ｃ　レンズ調整部
１８ａ，１８ｂ，１８ｃ　調整足
１９　突堤
２０　レンズ収容孔
２１　治具嵌合溝
【図１】
2004080575.tif 000003
【図２】
2004080575.tif 000004
【図３】
2004080575.tif 000005
【図４】
2004080575.tif 000006